(57)【要約】【課題】確実に開封不能にロックでき、開封する際に開封部周囲が変形したり破損したりすることがなく、デザイン性や密閉性に優れた化粧箱を提供する。【解決手段】一枚のシート部材からなり、前板１、左右の側板２、後板３、底板４、前板１の上端から連設されている蓋板５とからなる直方体状の化粧箱に、後板３の上端に後板３の内面側に折り返されて貼着される折り返し板６を連設し、後板３と折り返し板６に、折り返し板６が折り返された際に各上端から凹状に切り欠かれた後板切欠き部3aと折り返し板切欠き部6aとが相対するようにそれぞれ形成し、折り返し板切欠き部6aの中央に開封時に切断される切断線6bを形成すると共に、折り返し板６が折り返された際に後板３の後板切欠き部3aの上方に突出するように、切断線6bを介して係止片6cを突設させ、蓋板５の前板１と反対側に連設された差込み片７に、係止片6cが開封不能に挿入係止されるスリット7aを形成する。【選択図】図１
2018203280.tif 000002
【特許請求の範囲】
【請求項１】
一枚のシート部材からなり、前板(１)、左右の側板(２)、後板(３)、底板(４)、該前板(１)の上端から連設されている蓋板(５)とからなる直方体状の化粧箱であって、
該後板(３)の上端には該後板(３)の内面側に折り返されて貼着される折り返し板(６)が連設されていて、
該後板(３)と該折り返し板(６)には、該折り返し板(６)が折り返された際に各上端から凹状に切り欠かれた後板切欠き部(3a)と折り返し板切欠き部(6a)とが相対するようにそれぞれ形成されており、
該折り返し板(６)の折り返し板切欠き部(6a)の中央に開封時に切断される切断線(6b)が形成されていると共に、該折り返し板(６)が折り返された際に該後板(３)の後板切欠き部(3a)の上方に突出するように、該切断線(6b)を介して係止片(6c)が突設されていて、
該蓋板(５)の該前板(１)と反対側の端部から連設された差込み片(７)に、該折り返し板(６)の係止片(6c)が開封不能に挿入係止されるスリット(7a)が形成されていることを特徴とする化粧箱。
【請求項２】
折り返し板(６)が折り返された際に、折り返し板(６)の切断線(6b)が後板(３)の後板切欠き部(3a)の上方に位置するように形成されている請求項１に記載の化粧箱。
【請求項３】
折り返し板(６)の係止片(6c)が差込み片(７)のスリット(7a)に開封不能に挿入係止された際に、該差込み片(７)のスリット(7a)が該折り返し板(６)の切断線(6b)より上方に位置するように形成されている請求項２に記載の化粧箱。
【請求項４】
折り返し板(６)が折り返された際に、折り返し板(６)の切断線(6b)が後板(３)の後板切欠き部(3a)と同一又は下方に位置するように形成されている請求項１に記載の化粧箱。
【請求項５】
折り返し板(６)の折り返し板切欠き部(6a)が左右対称となるように形成されている請求項１から４のいずれか１項に記載の化粧箱。
【発明の詳細な説明】
【技術分野】
【０００１】
本発明は、改ざん防止機能を有する化粧箱に関するものである。
【背景技術】
【０００２】
従来から改ざん防止機能を有する化粧箱がしばしば利用されており、このような改ざんを防止する手段として様々な構造のものが提案されている。
【０００３】
改ざん防止機能を有する箱としては、例えば蓋板等に切断線（ミシン目やジッパー等）を設け、この切断線に沿って化粧箱の一部を切断や切除して、蓋板等に開口部を形成させたり、蓋板本体を開閉自在にしたりする紙箱がある（特許文献１参照。）。
【０００４】
この紙箱では、切断線が外部から見える位置に形成されているため、初見でも開封するための切断方法や切断方向が分かりやすく使い勝手がよいが、その一方で切断線が大きく目立つため、デザイン性に劣り商品価値が低くなるという問題がある。
【０００５】
一方でデザイン性を優先させて開封手段を複雑な構造にしたり、目新しい位置に設けたりすると、初見ではどこから開封するのかが分からず、使い勝手が悪いという問題がある。
【０００６】
これに対して、正面板に特殊な透孔が設けられていて、そこに指をあてて開封部を摘み開封する包装用箱がある（特許文献２参照。）。
【０００７】
この包装用箱では、正面板に形成された特殊な透孔に特徴があり、この透孔が開封位置であることは初見でも容易に分かるが、この透孔に指をあてて開封部を摘み、破断線（切断線）に沿って破いて開封しようとすると、包装用箱の開口部周囲に大きな力が加わり、包装用箱が変形したり場合によっては破損したりすることがある。
【先行技術文献】
【特許文献】
【０００８】
【特許文献１】特開平９−１９３９２６号公報
【特許文献２】特開２０１３−２２７０３６号公報
【発明の概要】
【発明が解決しようとする課題】
【０００９】
本発明は前記の問題に鑑み、簡便に製造でき、確実に開封不能にロックでき、更に開封する際に開封部周囲が変形したり破損したりすることがなく、また開封用に設けられた切断線が目立たずデザイン性や密閉性に優れていると共に、初見で開封方法や開封位置が容易に判断できる使い勝手の良い化粧箱を提供することを課題とする。
【課題を解決するための手段】
【００１０】
本発明者らは前記課題を解決すべく鋭意検討した結果、一枚のシート部材からなり、前板、左右の側板、後板、底板、前板の上端から連設されている蓋板とからなる直方体状の化粧箱において、後板の上端に後板の内面側に折り返されて貼着される折り返し板を連設すれば、開封時や再封時に開閉される蓋板の近傍に位置する後板の上部が、後板の内面側に折り返されて貼着される折り返し板によって２倍の厚みとなるので強度や剛性が高くなり、化粧箱が開閉時に破損したり型崩れしたりすることがなく、また後板と折り返し板に、折り返し板が折り返された際に各上端から凹状に切り欠かれた後板切欠き部と折り返し板切欠き部とを相対するようにそれぞれ形成させ、折り返し板の折り返し板切欠き部の中央に開封時に切断される切断線を形成させると共に、折り返し板が折り返された際に後板の後板切欠き部の上方に突出するように、切断線を介して係止片を突設させ、また蓋板の前板と反対側の端部から連設された差込み片に、折り返し板の係止片が開封不能に挿入係止されるスリットを形成すれば、切断線が凹状の折り返し板切欠き部の下方に位置する中央部分に形成されているので切断線が目立たず、また本発明に係る化粧箱を封滅した際の外観上の特徴は、凹状の後板切欠き部と、その近傍に位置する係止片とスリットとであるから、この凹状の後板切欠き部が開封位置の目安となり、また係止片とスリットとの係止部分を化粧箱内部側へ押し込めば係止片が切断線で切断されて開封できることが容易に推測できるので、使い勝手とデザイン性に優れた化粧箱とすることができることを究明して本発明を完成させたのである。
【００１１】
即ち本発明は、一枚のシート部材からなり、前板、左右の側板、後板、底板、前板の上端から連設されている蓋板とからなる直方体状の化粧箱であって、
後板の上端には後板の内面側に折り返されて貼着される折り返し板が連設されていて、後板と折り返し板には、折り返し板が折り返された際に各上端から凹状に切り欠かれた後板切欠き部と折り返し板切欠き部とが相対するようにそれぞれ形成されており、折り返し板の折り返し板切欠き部の中央に開封時に切断される切断線が形成されていると共に、折り返し板が折り返された際に後板の後板切欠き部の上方に突出するように、切断線を介して係止片が突設されていて、蓋板の前板と反対側の端部から連設された差込み片に、折り返し板の係止片が開封不能に挿入係止されるスリットが形成されていることを特徴とする化粧箱である。
【００１２】
そして折り返し板が折り返された際に、折り返し板の切断線が後板の後板切欠き部の上方に位置するように形成されていれば、切断線が外部から目視可能であるから開封時の切断位置が確実に分かり好ましく、またこの態様において、折り返し板の係止片が差込み片のスリットに開封不能に挿入係止された際に、差込み片のスリットが折り返し板の切断線より上方に位置するように形成されていれば、係止片を切断する切断線がスリット等に隠れることがないので確実に指で押し込んで破断させることができ、開封時に切断線以外を破損させるようなことがなくて好ましいのである。
【００１３】
また折り返し板が折り返された際に、折り返し板の切断線が後板の後板切欠き部と同一又は下方に位置するように形成されていれば、切断線が後板に隠れ、後板から折り返された折り返し板もほとんど外部から見えないようにすることもできるので、デザイン性に優れ化粧箱として高い付加価値をもたせることができて好ましく、更に、折り返し板の折り返し板切欠き部が左右対称となるように形成されていれば、開封時に係止片の切断線に均等且つ確実に力を加えることができ、開封時に予期せぬ位置で破断等が起こることがなくて好ましいことも究明したのである。
【発明の効果】
【００１４】
本発明に係る化粧箱は、一枚のシート部材からなり、前板、左右の側板、後板、底板、前板の上端から連設されている蓋板とからなる直方体状の化粧箱であって、後板の上端には後板の内面側に折り返されて貼着される折り返し板が連設されているから、開封時や再封時に開閉される蓋板の近傍に位置する後板の上部が、後板の内面側に折り返されて貼着される折り返し板によって２倍の厚みとなるので強度や剛性が高くなり、化粧箱が開閉時に破損したり型崩れしたりすることがなく、
また後板と折り返し板には、折り返し板が折り返された際に各上端から凹状に切り欠かれた後板切欠き部と折り返し板切欠き部とが相対するようにそれぞれ形成されており、折り返し板の折り返し板切欠き部の中央に開封時に切断される切断線が形成されていると共に、折り返し板が折り返された際に後板の後板切欠き部の上方に突出するように、切断線を介して係止片が突設されていて、蓋板の前板と反対側の端部から連設された差込み片に、折り返し板の係止片が開封不能に挿入係止されるスリットが形成されているから、切断線が凹状の折り返し板切欠き部の下方に位置する中央部分に形成されているので切断線が目立たず、また本発明に係る化粧箱を封滅した際の外観上の特徴は、凹状の後板切欠き部と、その近傍に位置する係止片とスリットとであるから、この凹状の後板切欠き部が開封位置の目安となり、また係止片とスリットとの係止部分を化粧箱内部側へ押し込めば係止片が切断線で切断されて開封できることが容易に推測できるので、使い勝手とデザイン性に優れた化粧箱とすることができるのである。
【００１５】
そして折り返し板が折り返された際に、折り返し板の切断線が後板の後板切欠き部の上方に位置するように形成されている態様では、切断線が外部から目視可能であるから開封時の切断位置が確実に分かり好ましく、またこの態様において、折り返し板の係止片が差込み片のスリットに開封不能に挿入係止された際に、差込み片のスリットが折り返し板の切断線より上方に位置するように形成されている場合には、係止片を切断する切断線がスリット等に隠れることがないので確実に指で押し込んで破断させることができ、開封時に切断線以外を破損させるようなことがなくて好ましいのである。
【００１６】
また折り返し板が折り返された際に、折り返し板の切断線が後板の後板切欠き部と同一又は下方に位置するように形成されている態様では、切断線が後板に隠れ、後板から折り返された折り返し板もほとんど外部から見えないようにすることもできるので、デザイン性に優れ化粧箱として高い付加価値をもたせることができて好ましく、更に、折り返し板の折り返し板切欠き部が左右対称となるように形成されている態様では、開封時に係止片の切断線に均等且つ確実に力を加えることができ、開封時に予期せぬ位置で破断等が起こることがなくて好ましいのである。
【図面の簡単な説明】
【００１７】
【図１】本発明に係る化粧箱の一実施例を示す展開図である。
【図２】図１の１枚のシート部材から組立て、蓋板をする前の状態を後板側から見た背面図である。
【図３】図２に示す化粧箱の状態から封滅した状態を後板側から見た背面図である。
【図４】図３に示す化粧箱の外観を後板側から見た背面図である。
【図５】図４に示す化粧箱を開封して係止片を取り除いて再封した状態を後板側から見た背面図である。
【図６】本発明に係る化粧箱の他の実施例を示す展開図である。
【図７】図６の１枚のシート部材から組立て、蓋板をする前の状態を後板側から見た背面図である。
【図８】図７に示す化粧箱の状態から封滅した状態を後板側から見た背面図である。
【図９】図８に示す化粧箱の外観を後板側から見た背面図である。
【図１０】図９に示す化粧箱を開封して係止片を取り除いて再封した状態を後板側から見た背面図である。
【図１１】本発明に係る化粧箱の更に他の実施例を示す展開図である。
【発明を実施するための形態】
【００１８】
以下、図面を用いて本発明に係る化粧箱について詳細に説明する。
【００１９】
１は本発明に係る化粧箱の前板、２は左右の側板、３は後板、４は底板、５は前板１の上端から連設されている蓋板であり、図１、図６及び図１１の展開図のとおり一枚のシート部材から構成されている。
【００２０】
また後板３の上端には後板３の内面側に折り返されて貼着される折り返し板６が連設されている。開封時や再封時に開閉される蓋板５の近傍に位置する後板３の上部が、後板３の内面側に折り返されて貼着されるこの折り返し板６によって２倍の厚みとなるので強度や剛性が高くなり、化粧箱が開閉時に破損したり型崩れしたりすることがないのである。
【００２１】
そして後板３と折り返し板６には、折り返し板６が折り返された際に各上端から凹状に切り欠かれた後板切欠き部3aと折り返し板切欠き部6aとが相対するようにそれぞれ形成されている。なお後板切欠き部3aと折り返し板切欠き部6aとは、切り欠かれて取り除かれたシート部材のことではなく、それぞれ切り欠かれた後板３と折り返し板６の切り口部分を意味する。
【００２２】
この後板３の後板切欠き部3aと折り返し板６の折り返し板切欠き部6aとが略同形であると、後板３と折り返し板６との重ね合わせ部分の外観形状がきれいで好ましい。また折り返し板６の折り返し板切欠き部6aの大部分が後板３に隠れると折り返し板６が目立たず、デザイン性が非常に向上するのである。
【００２３】
また折り返し板６の折り返し板切欠き部6aの中央に開封時に切断される切断線6bが形成されていると共に、折り返し板６が折り返された際に後板３の後板切欠き部3aの上方に突出するように、切断線6bを介して係止片6cが突設されている。
これにより、開封不能に封滅するための係止片6cが後板３ではなく、化粧箱内部に折り返される折り返し板６に形成されているので、この係止片6cは化粧箱内部側に位置し、この形成片6cと後述する差込み片７のスリット7aとが係止されるので、この係止部分が化粧箱外部に突出することがないのである
【００２４】
そして折り返し板６が折り返された際に、折り返し板６の切断線6bが後板３の後板切欠き部3aの上方に位置するように形成されている態様では、切断線6bが外部から目視可能であるから開封時の切断位置が確実に分かり好ましく、またこの態様において、折り返し板6の係止片6cが差込み片７のスリット7aに開封不能に挿入係止された際に、差込み片７のスリット7aが折り返し板６の切断線6bより上方に位置するように形成されている場合には、係止片6cを切断する切断線6bがスリット7a等に隠れることがないので確実に指で押し込んで破断させることができ、開封時に切断線6b以外を破損させるようなことがなくて好ましいのである。
【００２５】
また折り返し板６が折り返された際に、折り返し板６の切断線6aが後板３の後板切欠き部3aと同一又は下方に位置するように形成されている態様では、切断線6bが後板３に隠れ、後板３から折り返された折り返し板６もほとんど外部から見えないようにすることもできるので、デザイン性に優れ化粧箱として高い付加価値をもたせることができて好ましく、更に、折り返し板６の折り返し板切欠き部6aが左右対称となるように形成されている態様では、開封時に係止片の切断線6bに均等且つ確実に力を加えることができ、開封時に予期せぬ位置で破断等が起こることがなくて好ましいのである。
【００２６】
７は蓋板５の前板１と反対側の端部から連設された差込み片であり、折り返し板６の係止片6cが開封不能に挿入係止されるスリット7aが形成されている。差込み片７にスリット7aを設けることで、図４及び図９のごとく折り返し板６の係止片6cは差し込まれて外部からほとんど見えないため、係止片6cとスリット7aとの係止部分がほとんど目立たないのである。
【００２７】
このような本発明に係る化粧箱を組み立てるには、例えば図１のように後板３の側板２と反対側の側方に形成されているのりしろ部をもう一方の側板２の内面に貼着すると共に、折り返し板６を後板３の内面側に折り返して貼着して図２のような状態にする。
【００２８】
そして内容物を入れた後に、差込み片７のスリット7aに折り返し板６の係止片6cを開封不能に挿入させながら差込み片７を化粧箱内部へと差込み封滅するのである。
【００２９】
この時、本発明に係る化粧箱は図３及び図４のように外部から切断線6aがほとんど見えない場合や、図８及び図９のように外部から切断線6aが見えない。そのため本発明に係る化粧箱と一般的な化粧箱との外観上の相違は、後板３に後板切欠き部3aが形成されていることだけであるから、この位置において開封することが初見でも容易に想像できる。
【００３０】
次に開封方法は、図３と図４や、図８及び図９のごとく、この後板３の後板切欠き部3aの上方には差込み片７のスリット7aが見え、折り返し板６の係止片6cとの係止状態が僅かに見えることから、この係止状態を解除するためにこの後板３の後板切欠き部3aの上方の差込み片７を前板１方向へ押し込めばよいことも比較的容易に推測できる。
【００３１】
また開封後においては、後板３の後板切欠き部3aが凹状で、後板３の上部には切り欠かれていない部分が左右に残っているので、この残りの部分と再度差し込まれた差込み片７とが係止され再封されるのである。
【００３２】
また図１から図１１のごとく、通法どおり各側板の上下の端縁から内フラップを延設させるとよい。この内フラップがあることによって特に再封時において差込み片７が後板３の内面にしっかりと圧止され蓋板５が強固に閉じられるのである。
【００３３】
そして底板４の形状や構造は特に問わないが、改ざん防止の観点からは、底板は貼着等によって確実に開封不能にしたり、図１１のように、底板４にも蓋板５と同様に改ざん防止機能を設ければ、開封の有無がより確実に分かるようになりより好ましいのである。
【００３４】
このように本発明に係る化粧箱は、一枚のシート部材から形成されるので簡便に製造でき、また差込み片７のスリット7aと折り返し板６の係止片6cとによって確実に開封不能にロックでき、更に開封用に設けられた切断線6b等が外部から見え難く、デザイン性や密閉性に優れていると共に、切断線6bが見え難いにも関わらず、外観上の特徴が後板３の後板切欠き部3aと、その上方にある差込み片７のスリット7aと折り返し板６の係止片6cとの係止部分だけであるから、初見で開封位置や開封方法が容易に判断でき使い勝手がよいのである。
【符号の説明】
【００３５】
１  前板
２  側板
３  後板
3a  後板切欠き部
４  底板
５  蓋板
６  折り返し板
6a  折り返し板切欠き部
6b  切断線
6c  係止片
７  差込み片
7a  スリット
【図１】
2018203280.tif 000003
【図２】
2018203280.tif 000004
【図３】
2018203280.tif 000005
【図４】
2018203280.tif 000006
【図５】
2018203280.tif 000007
【図６】
2018203280.tif 000008
【図７】
2018203280.tif 000009
【図８】
2018203280.tif 000010
【図９】
2018203280.tif 000011
【図１０】
2018203280.tif 000012
【図１１】
2018203280.tif 000013